(57)【特許請求の範囲】
【請求項１】
一面に発光素子が実装された基板と、
前記発光素子を覆うように配置されて前記発光素子から発せられる光の配光を制御する光学部材と、
前記基板及び前記光学部材が取り付けられる取付部材と、
前記発光素子で発生する熱を放熱する放熱部材と、
前記取付部材に取り付けられた前記光学部材の周囲を取り囲むように配置されて前記光学部材を透過した光を内周面で反射させる筒状の反射部材とを備え、
前記放熱部材は、底壁部と、前記底壁部の端部から前記底壁部と交差する方向に突出する側壁部とを有し、
前記基板、前記光学部材、前記取付部材及び前記反射部材は、前記底壁部と前記側壁部とで囲まれる空間内に配置され、
前記取付部材及び前記反射部材は、互いを一体的に結合させる結合部をそれぞれ有しており、
前記光学部材は、平坦な入射面を有する平凸レンズであり、
前記光学部材は、前記発光素子と前記光学部材とが並ぶ方向における前記反射部材の両側の開口端のうち前記発光素子に近い側の開口端に配置されていることを特徴とする光源ユニット。
【請求項２】
前記結合部は、前記取付部材及び前記反射部材の何れか一方に設けられた差込片と、前記取付部材及び前記反射部材の他方に設けられ且つ前記取付部材に対して前記反射部材を回転させることで前記差込片が差し込まれる差込溝とで構成されることを特徴とする請求項１記載の光源ユニット。
【請求項３】
請求項１又は２記載の光源ユニットと、前記光源ユニットを保持する器具本体とを備えていることを特徴とする照明器具。
【発明の詳細な説明】
【技術分野】
【０００１】
本発明は、一般に光源ユニット及びそれを用いた照明器具に関し、より詳細には発光素子を光源とする光源ユニット及びそれを用いた照明器具に関する。
【背景技術】
【０００２】
従来、発光素子を光源とする発光装置が提供されている（例えば特許文献１参照）。特許文献１に記載された発光装置は、発光素子が前面に実装された放熱基板と、発光素子の前方に配置される配光制御用のレンズと、放熱基板にレンズを固定するための固定ホルダとを備える。
【０００３】
レンズは、発光素子から遠くなるほど外側に拡がる逆円錐形に形成されており、発光素子から発せられた光は、レンズ内で反射を繰り返した後、レンズ前面に対して直交する方向（前方）に照射される。
【０００４】
また従来、光源ユニット側に放熱部材を設けた照明器具も提供されている。この照明器具は、光源ユニットと、光源ユニットを保持する器具本体とを備え、器具本体に対して光源ユニットが着脱自在に取り付けられる。
【０００５】
光源ユニットは、一面に発光素子が実装された基板と、発光素子を覆うようにして基板の前方に配置されるレンズと、基板及びレンズが取り付けられる取付部材と、発光素子で発生した熱を放熱する放熱部材とを有する。
【０００６】
放熱部材は、矩形板状に形成された底壁部と、底壁部の両端から底壁部と直交する方向に突出する一対の側壁部とでＵ字状に形成されており、これらの底壁部及び側壁部で形成される空間内に、一体に組み付けられたレンズ、基板及び取付部材が配置される。
【先行技術文献】
【特許文献】
【０００７】
【特許文献１】特開２００９−１１０８２１号公報
【発明の概要】
【発明が解決しようとする課題】
【０００８】
上述した後者の照明器具において平凸レンズを用いた場合、発光素子から発せられた光は、レンズ内を透過し、レンズ表面（出射面）から放射状に照射される。そのため、放熱部材の側壁部の高さ寸法がレンズの厚み寸法よりも大きい場合には、レンズ表面から照射された光の一部が側壁部によって、いわゆる「けられ（口径食）」の生じる虞があった。
【０００９】
本発明は上記問題点に鑑みて為されており、照明空間側への照射光量の低下を抑えた光源ユニット及びそれを用いた照明器具を提供することを目的とする。
【課題を解決するための手段】
【００１０】
本発明の光源ユニットは、一面に発光素子が実装された基板と、前記発光素子を覆うように配置されて前記発光素子から発せられる光の配光を制御する光学部材と、前記基板及び前記光学部材が取り付けられる取付部材と、前記発光素子で発生する熱を放熱する放熱部材と、前記取付部材に取り付けられた前記光学部材の周囲を取り囲むように配置されて前記光学部材を透過した光を内周面で反射させる筒状の反射部材とを備え、前記放熱部材は、底壁部と、前記底壁部の端部から前記底壁部と交差する方向に突出する側壁部とを有し、前記基板、前記光学部材、前記取付部材及び前記反射部材は、前記底壁部と前記側壁部とで囲まれる空間内に配置され、前記取付部材及び前記反射部材は、互いを一体的に結合させる結合部をそれぞれ有しており、前記光学部材は、平坦な入射面を有する平凸レンズであり、前記光学部材は、前記発光素子と前記光学部材とが並ぶ方向における前記反射部材の両側の開口端のうち前記発光素子に近い側の開口端に配置されていることを特徴とする。
【００１１】
本発明の照明器具は、上記の光源ユニットと、前記光源ユニットを保持する器具本体とを備えていることを特徴とする。
【発明の効果】
【００１２】
本発明の構成によれば、照明空間側への照射光量の低下を抑えた光源ユニット及びそれを用いた照明器具を提供することができるという効果がある。
【図面の簡単な説明】
【００１３】
【図１】本発明の実施形態に係る光源ユニットの分解斜視図である。
【図２】本発明の実施形態に係る照明器具の分解斜視図である。
【図３】本発明の実施形態に係る照明器具において器具本体からカバーを取り外した状態の斜視図である。
【図４】図４Ａは本発明の実施形態に係る照明器具に用いられる取付部材の正面図、図４Ｂは背面図、図４Ｃ及び図４Ｄは側面図である。
【図５】図５Ａは本発明の実施形態に係る照明器具に用いられる反射部材の上面図、図５Ｂは側面図である。
【図６】本発明の実施形態に係る光源ユニットの要部拡大図である。
【発明を実施するための形態】
【００１４】
本発明の実施形態に係る光源ユニット２及び照明器具１０について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１５】
なお、以下の説明では特に断りがない限り、図２において上下方向（第１の方向）、前後方向（第２の方向）、左右方向（第３の方向）をそれぞれ規定する。したがって、本実施形態では、器具本体１の軸方向が上下方向となる。但し、これらの方向は光源ユニット２及び照明器具１０の取付方向を規定するものではない。
【００１６】
本実施形態の照明器具１０は、例えば天井に埋め込まれる天井埋込型の非常灯であって、商用電源（外部電源）が停電になると光源ユニット２を点灯させる。この照明器具１０は、図２に示すように、器具本体１と、光源ユニット２と、電源装置３と、非常用電源４と、カバー５とを備える。
【００１７】
器具本体１は、例えば鋼板などの不燃材料からなり、上下方向を軸方向とする円筒状に形成された本体部１１を有する。この本体部１１の下部には、本体部１１の下面を開放することで形成された円形の開口部１１１が設けられており、開口部１１１の開口端縁には、外向きに突出する鍔部１２が全周に亘って設けられている。
【００１８】
また、本体部１１の側壁には、上下方向に沿ってＴ字状に開口する一対の切欠部１１２，１１２が、本体部１１の中心軸に対して対称な位置にそれぞれ設けられている。これらの切欠部１１２，１１２には、取付金具６，６が上下方向に移動自在に配置されており、これらの取付金具６，６と鍔部１２との間で天井板を挟み込むことで、器具本体１が天井に取り付けられる。
【００１９】
さらに、本体部１１の側壁には、カバー５に取り付けられた一対の取付ばね７，７がそれぞれ引っ掛けられる２個１組のばね受け部１１３，１１３が、本体部１１の一部を切り起こすことで形成されている。また、各組のばね受け部１１３，１１３は、本体部１１の中心軸に対して対称な位置に設けられている。
【００２０】
電源装置３は、図２に示すように、合成樹脂製のケース３１を有する。ケース３１の左側面（非常用電源４との対向面）における上端寄りの位置には、外部からの電源線（図示せず）が接続される端子台３２が取り付けられている。この端子台３２は、図示しない接続構造により電源装置３に機械的且つ電気的に接続され、電源線を介して入力される商用電源を電源装置３に出力する。
【００２１】
また、ケース３１の下面には、下向きに突出し且つ先端に引掛爪（図示せず）を有する矩形板状の引掛部３１１が設けられている。さらに、ケース３１の下面には、非常用電源４の充電状態を点検するための点検スイッチ３３が設けられている。また、ケース３１の下面において点検スイッチ３３の近傍には、上下方向に長い筒体３４が設けられており、この筒体３４の内部には、非常用電源４の充電状態を表示するモニタランプ（図示せず）が配置されている。
【００２２】
ケース３１の内部には、商用電源の正常時に非常用電源４を充電する充電回路（図示せず）と、商用電源が停電になると非常用電源４から出力される電源を光源ユニット２に供給する給電回路（図示せず）とが実装された基板（図示せず）が収納されている。また、この基板には、光源ユニット２のコネクタ部２３２内に収納された第１接続端子２７（図１参照）に接続される第２接続端子（図示せず）と、点検スイッチ３３と、上記モニタランプとが実装されている。
【００２３】
非常用電源４は、図２に示すように、合成樹脂製のケース４１を有し、ケース４１の内部には複数の蓄電池（図示せず）が収納されている。また、ケース４１の下面には、下向きに突出し且つ先端に引掛爪４１１１を有する矩形板状の引掛部４１１が設けられている。これらの電源装置３及び非常用電源４は、図示しない接続構造により互いに機械的且つ電気的に接続され、光源ユニット２を収納するための収納部１００がケース３１及びケース４１に跨るようにして下面中央に形成される（図３参照）。
【００２４】
カバー５は、例えば鋼板などの不燃材料からなり、円板状に形成された本体部５１を有し、本体部５１の中央には円形の開口部５１１が設けられている。そして、照明器具１０を組み立てた状態では、光源ユニット２のレンズ２２が開口部５１１を臨むように配置され、光源ユニット２から発せられる光が開口部５１１を通して外部に照射される。
【００２５】
また、本体部５１において開口部５１１の近傍には、楕円形状の開口部５１２が設けられている。そして、照明器具１０を組み立てた状態では、光源ユニット２の点検スイッチ３３及び筒体３４が開口部５１２を臨むように配置され、作業者は、開口部５１２を通して点検スイッチ３３を操作し、上記モニタランプを確認する。
【００２６】
光源ユニット２は、図１に示すように、基板２１と、レンズ２２（光学部材）と、取付部材２３と、放熱部材２４と、放熱シート２５と、反射部材２６とを備える。
【００２７】
基板２１は矩形板状に形成され、基板２１の下面には円形のＬＥＤチップ２１０（発光素子）が実装されている。この基板２１は、取付部材２３のベース部２３１の中央に設けられた開口部２３１１を通してＬＥＤチップ２１０を下側に露出させた状態で、ベース部２３１の上面に載せられる。
【００２８】
レンズ２２は、例えば透明なガラスにより形成され、平坦な入射面を有する平凸レンズからなる本体部２２１を備える。本体部２２１の上端縁には、外向きに突出する鍔部２２２が全周に亘って設けられている。また、本体部２２１の下面（出射面）は、外縁部から中心部に近づくほど下側への突出量が大きくなるような凸形状に形成されている。このレンズ２２は、基板２１のＬＥＤチップ２１０を覆うようにして基板２１の下側に配置され、ＬＥＤチップ２１０から発せられる光の配光を制御する。
【００２９】
取付部材２３は、例えば合成樹脂成型品であって、図４Ａ〜図４Ｄに示すように、上下方向（図４Ａ中の紙面に垂直な方向）を厚み方向とする板状に形成されたベース部２３１を有する。ベース部２３１の右端縁には、上向きに突出する角筒状のコネクタ部２３２が一体に設けられている。このコネクタ部２３２は、第１接続端子２７，２７がそれぞれ収納される２つの収納部２３２２，２３２２を有している。
【００３０】
また、ベース部２３１の中央には、上下方向（ベース部２３１の厚み方向）に貫通する矩形の開口部２３１１が設けられている。さらに、ベース部２３１の下面には、Ｕ字状に形成された一対の溝２３１２，２３１３が、開口部２３１１とコネクタ部２３２の各収納部２３２２との間を繋ぐように設けられている。
【００３１】
また、ベース部２３１の前後方向（図４Ａ中の左右方向）における両端縁には、側方に突出し且つ先端が下向きに突出するＬ字状の固定部２３１５，２３１７がそれぞれ設けられている。固定部２３１５の先端には、内向き（開口部２３１１側）に突出する固定爪２３１５ａが設けられ、固定部２３１７の先端には、内向き（開口部２３１１側）に突出する固定爪２３１７ａが設けられている。
【００３２】
さらに、ベース部２３１の左右方向（図４Ａ中の上下方向）における両端縁には、側方に突出し且つ先端が下向きに突出するＬ字状の固定部２３１４，２３１６がそれぞれ設けられている。固定部２３１４の先端には、内向き（開口部２３１１側）に突出する固定爪２３１４ａが設けられ、固定部２３１６の先端には、内向き（開口部２３１１側）に突出する固定爪２３１６ａが設けられている。
【００３３】
ここで、固定部２３１４〜２３１７をベース部２３１の下面から直接立ち上げるのではなく、本実施形態のようにＬ字状に湾曲させることで、固定部２３１４〜２３１７を撓みやすくすることができる。
【００３４】
また、ベース部２３１の前後方向における開口部２３１１と固定部２３１５との間には、ベース部２３１の下面から下向きに突出するリブ２３２４が設けられている。さらに、ベース部２３１の前後方向における開口部２３１１と固定部２３１７との間には、ベース部２３１の下面から下向きに突出するリブ２３２６が設けられている。
【００３５】
また、ベース部２３１の左右方向における開口部２３１１と固定部２３１４との間には、ベース部２３１の下面から下向きに突出するリブ２３２３が設けられている。さらに、ベース部２３１の左右方向における開口部２３１１と固定部２３１６との間には、ベース部２３１の下面から下向きに突出するリブ２３２５が設けられている。
【００３６】
また、ベース部２３１の周方向における固定部２３１４と固定部２３１５との間には、ベース部２３１の下面から下向きに突出し且つ弧状に湾曲するガイド部２３１９が設けられている。さらに、ベース部２３１の周方向における固定部２３１５と固定部２３１６との間には、ベース部２３１の下面から下向きに突出し且つ弧状に湾曲するガイド部２３２０が設けられている。
【００３７】
また、ベース部２３１の周方向における固定部２３１６と固定部２３１７との間には、ベース部２３１の下面から下向きに突出し且つ弧状に湾曲するガイド部２３２１が設けられている。さらに、ベース部２３１の周方向における固定部２３１７と固定部２３１４との間には、ベース部２３１の下面から下向きに突出し且つ弧状に湾曲するガイド部２３１８が設けられている。これらのガイド部２３１８〜２３２１は、取付部材２３のベース部２３１にレンズ２２を取り付ける際のガイドとして機能する。
【００３８】
また、ガイド部２３１８〜２３２０には、反射部材２６に設けられた３つの差込片２６３がそれぞれ差し込まれる差込溝２３１８ａ〜２３２０ａ（図４Ｃ及び図４Ｄ参照）が設けられている。さらに、ガイド部２３２１には、反射部材２６を固定するための固定ねじ（図示せず）がねじ込まれるねじ孔２３３１を有するボス部２３３が一体に設けられている。
【００３９】
また、ベース部２３１の上面には、図４Ｂに示すように、開口部２３１１の周りを取り囲むように溝２３２８が形成されており、光源ユニット２を組み立てた状態では、基板２１の上面に密着した状態で放熱シート２５が溝２３２８内に収納される。
【００４０】
放熱部材２４は、例えば放熱性の高いアルミニウムからなり、矩形板状の底壁部２４１と、底壁部２４１の端部より底壁部２４１と直交する方向（下向き）に突出する４つの側壁部２４２〜２４５とで下面が開口する箱形に形成されている。側壁部２４２の下端には、外向き且つ底壁部２４１と平行に延出する延出部２４６が一体に設けられ、側壁部２４４の下端には、外向き且つ底壁部２４１と平行に延出する延出部２４７が一体に設けられている。
【００４１】
また、側壁部２４３の下端で且つ前後方向における両端には、外向き且つ底壁部２４１と平行に延出する一対の延出部２４８が一体に設けられ、側壁部２４５の下端且つ後寄りには、外向き且つ底壁部２４１と平行に延出する延出部２４９が一体に設けられている。
【００４２】
さらに、側壁部２４２には、非常用電源４のケース４１に設けられた引掛部４１１の引掛爪４１１１が引っ掛けられる矩形の引掛孔２４２１が設けられている。また、側壁部２４４には、電源装置３のケース３１に設けられた引掛部３１１の引掛爪（図示せず）が引っ掛けられる矩形の引掛孔２４４１（図２参照）が設けられている。
【００４３】
反射部材２６は、図５Ａ及び図５Ｂに示すように、板金に曲げ加工することで形成され、上下方向（図５Ａ中の紙面に垂直な方向）における両端が開口する円筒状の本体部２６１を有する。本体部２６１における上側の開口端縁には、反射部材２６を取付部材２３に固定するための固定片２６２が一体に設けられている。この固定片２６２には、固定ねじ（図示せず）を通すための貫通孔２６２１が設けられている。
【００４４】
また、本体部２６１における上側の開口端縁には、複数（図５Ａでは３つ）の差込片２６３が本体部２６１の周方向において等間隔に設けられている。これらの差込片２６３は、本体部２６１の上端から上向きに突出し、且つ先端が外向きに折り曲げられたＬ字状に形成されている。さらに、本体部２６１の内周面２６１１には、反射効率を高めるための白色塗装が施されている。
【００４５】
次に、光源ユニット２の組立手順について説明する。
【００４６】
まず最初に、作業者は、基板２１の下面に実装されたＬＥＤチップ２１０を取付部材２３のベース部２３１の開口部２３１１を通して下側に露出させた状態で、基板２１をベース部２３１の上面に載せる。さらに、作業者は、導体２８，２８の一端に接続された第１接続端子２７，２７をそれぞれコネクタ部２３２の収納部２３２２，２３２２に収納した後、導体２８，２８の他端をそれぞれ基板２１の電極２１１，２１１に半田接続する。このとき、導体２８，２８は、ベース部２３１に形成された溝２３１２，２３１３にそれぞれ配置される。
【００４７】
続けて、作業者は、ベース部２３１に載せた基板２１の上面に放熱シート２５を載せた後、ベース部２３１の上面と放熱部材２４の底壁部２４１の下面とが密着するようにして取付部材２３を放熱部材２４に取り付ける。
【００４８】
このとき、取付部材２３のベース部２３１に設けた貫通孔２３２７，２３２７にそれぞれ通した取付ねじ（図示せず）を、放熱部材２４の底壁部２４１に設けたねじ孔２４１１，２４１１にそれぞれねじ込むことで、取付部材２３が放熱部材２４に取り付けられる。またこのとき、コネクタ部２３２は、底壁部２４１に設けられた切欠部２４１２を通して上側に突出する。さらにこのとき、放熱シート２５は、放熱部材２４の底壁部２４１に密着しており、基板２１のＬＥＤチップ２１０で発生した熱が放熱シート２５を介して放熱部材２４に伝えられる。
【００４９】
次に、作業者は、レンズ２２の軸方向が上下方向となり且つ鍔部２２２側が上側となるように向きを調整した状態でレンズ２２を取付部材２３に押し付け、レンズ２２を取付部材２３に取り付ける。
【００５０】
このとき、レンズ２２を取付部材２３に押し付けることで、レンズ２２の鍔部２２２により固定部２３１４〜２３１７の固定爪２３１４ａ〜２３１７ａが外向きに押され、固定部２３１４〜２３１７が外向きに撓められる。この状態から、レンズ２２を取付部材２３にさらに押し付けると、レンズ２２の鍔部２２２が固定爪２３１４ａ〜２３１７ａを乗り越え、レンズ２２の上面（入射面）がリブ２３２３〜２３２６に接触する。
【００５１】
そして、固定部２３１４〜２３１７が弾性力によって元の位置に復帰することで、固定部２３１４〜２３１７の固定爪２３１４ａ〜２３１７ａとリブ２３２３〜２３２６との間に鍔部２２２が挟まれ、レンズ２２が取付部材２３に取り付けられる。
【００５２】
そして最後に、作業者が反射部材２６を取付部材２３に取り付けることで、光源ユニット２の組み立てが完了する。
【００５３】
このとき、反射部材２６に設けた３つの差込片２６３が、取付部材２３に設けた３つの差込溝２３１８ａ〜２３２０ａの開口側にそれぞれ位置するように反射部材２６を取付部材２３に組み付け、反射部材２６を所定方向に回転させる。これにより、各差込片２６３が対応する差込溝２３１８ａ〜２３２０ａに差し込まれ、反射部材２６が取付部材２３に取り付けられる（図６参照）。
【００５４】
反射部材２６を取付部材２３に取り付けた状態では、図６に示すように、固定片２６２の貫通孔２６２１とボス部２３３のねじ孔２３３１とが重なり、固定ねじ（図示せず）をねじ孔２３３１にねじ込むことで、反射部材２６が取付部材２３に固定される。ここに、本実施形態では、３つの差込片２６３と、３つの差込溝２３１８ａ〜２３２０ａとで結合部が構成されている。
【００５５】
ところで、レンズ２２を取付部材２３に取り付けた状態では、レンズ２２の上面（入射面）がリブ２３２３〜２３２６の下面に接触している。また、ベース部２３１の周方向においてリブ２３２３〜２３２６がない部分では、レンズ２２の鍔部２２２がガイド部２３１８〜２３２１に接触している。その結果、レンズ２２の上面とベース部２３１の下面との間の隙間に塵埃が進入するのを抑えることができる。
【００５６】
また、レンズ２２及び取付部材２３を放熱部材２４に取り付けた状態では、放熱部材２４の底壁部２４１と４つの側壁部２４２〜２４５とで形成される空間内に、レンズ２２及び取付部材２３が配置される。そのため、側壁部２４２〜２４５の上下方向における寸法がレンズ２２の厚み寸法よりも大きくなればなるほど、側壁部２４２〜２４５による口径食が生じやすくなる。
【００５７】
したがって、上述のような構成では、レンズ２２の周囲を取り囲むように反射部材２６を配置するのが好ましく、レンズ２２を透過したＬＥＤチップ２１０からの光を反射部材２６の内周面２６１１により照明空間側（下側）へ反射させることができる。
【００５８】
次に、照明器具１０の施工手順について説明する。
【００５９】
まず最初に、作業者は、電源装置３が右側、非常用電源４が左側となるように配置した後、図示しない接続構造により電源装置３と非常用電源４とを機械的且つ電気的に接続する。そして、作業者は、互いに接続された電源装置３及び非常用電源４を器具本体１の内部に収納する。
【００６０】
電源装置３と非常用電源４とを組み付けた状態では、ケース３１及びケース４１の下面中央に収納部１００が形成され、作業者は、レンズ２２が下側となる向きで光源ユニット２を収納部１００に収納する。このとき、放熱部材２４の側壁部２４２の引掛孔２４２１にケース４１の引掛部４１１の引掛爪４１１１が引っ掛けられ、且つ、側壁部２４４の引掛孔２４４１にケース３１の引掛部３１１の引掛爪（図示せず）が引っ掛けられる。これにより、光源ユニット２が電源装置３及び非常用電源４に保持される。
【００６１】
そして最後に、作業者が、器具本体１の開口部１１１を塞ぐようにカバー５を器具本体１に取り付けると、照明器具１０の施工が完了する。このとき、カバー５に取り付けられた各取付ばね７が、器具本体１の対応するばね受け部１１３，１１３に引っ掛けられ、カバー５が器具本体１に保持される。
【００６２】
而して、本実施形態によれば、反射部材２６の本体部２６１の内周面２６１１を反射面とし、且つレンズ２２の周囲を取り囲むように反射部材２６を配置している。これにより、レンズ２２を透過したＬＥＤチップ２１０からの光を内周面２６１１により照明空間側（下側）へ反射させることができ、反射部材２６を取り付けない場合に比べて照明空間側への照射光量の低下を抑えることができる。
【００６３】
また、本実施形態のように、３つの差込片２６３と、３つの差込溝２３１８ａ〜２３２０ａとで結合部を構成した場合には、取付部材２３に対して反射部材２６を回転させるだけで、反射部材２６を取付部材２３に取り付けることができる。これにより、光源ユニット２の組立作業性が向上するという利点がある。
【００６４】
なお、本実施形態では、発光素子としてＬＥＤチップ２１０を例に説明したが、発光素子はＬＥＤチップ２１０に限らず、例えば有機ＥＬやレーザ・ダイオードなどであってもよい。また、本実施形態では、結合部として、差込溝２３１８ａ〜２３２０ａを取付部材２３に設け、差込片２６３を反射部材２６に設けたが、差込片を取付部材２３に設け、差込溝を反射部材２６に設けてもよい。
【００６５】
さらに、結合部は、差込片と差込片が差し込まれる差込溝に限らず、取付部材２３と反射部材２６とを互いに結合させることができれば、他の構成であってもよい。例えば、上述の実施形態におけるレンズ２２の取付構造のように、反射部材２６の上端縁に鍔部を設け、ベース部２３１との間で上記鍔部を挟み込む固定部を取付部材２３に設けてもよい。また、本実施形態では、レンズ２２が平凸レンズの場合を例に説明したが、レンズ２２は平凸レンズに限らず、両凸レンズや、平凹レンズ、両凹レンズなどであってもよい。
【００６６】
以上説明したように、本実施形態の光源ユニット２は、基板２１と、レンズ２２（光学部材）と、取付部材２３と、放熱部材２４と、反射部材２６とを備える。基板２１は、一面にＬＥＤチップ２１０（発光素子）が実装される。レンズ２２は、ＬＥＤチップ２１０を覆うように配置されてＬＥＤチップ２１０から発せられる光の配光を制御する。取付部材２３は、基板２１及びレンズ２２が取り付けられる。放熱部材２４は、ＬＥＤチップ２１０で発生する熱を放熱する。反射部材２６は、筒状であって、取付部材２３に取り付けられたレンズ２２の周囲を取り囲むように配置され、レンズ２２を透過した光を内周面２６１１で反射させる。放熱部材２４は、底壁部２４１と、底壁部２４１の端部から底壁部２４１と交差する方向に突出する側壁部２４２〜２４５とを有する。基板２１、レンズ２２、取付部材２３及び反射部材２６は、底壁部２４１と側壁部２４２〜２４５とで囲まれる空間内に配置される。取付部材２３及び反射部材２６は、互いを一体的に結合させる結合部（差込片２６３又は差込溝２３１８ａ〜２３２０ａ）をそれぞれ有している。
【００６７】
上記構成によれば、レンズ２２を透過したＬＥＤチップ２１０からの光を反射部材２６の内周面２６１１により照明空間側へ反射させることができ、照明空間側への照射光量の低下を抑えることができる。
【００６８】
また、本実施形態の光源ユニット２のように、前記結合部は、差込片２６３と差込溝２３１８ａ〜２３２０ａとで構成されるのが好ましい。この場合、差込片２６３は、取付部材２３及び反射部材２６の何れか一方に設けられ、且つ差込溝２３１８ａ〜２３２０ａは、取付部材２３及び反射部材２６の他方に設けられる。そして、取付部材２３に対して反射部材２６を回転させることで、差込片２６３が差込溝２３１８ａ〜２３２０ａに差し込まれる。
【００６９】
上記構成によれば、取付部材２３に対して反射部材２６を回転させ、差込片２６３を差込溝２３１８ａ〜２３２０ａに差し込むだけで反射部材２６を取付部材２３に取り付けることができ、光源ユニット２の組立作業性が向上する。
【００７０】
本実施形態の照明器具１０は、光源ユニット２と、光源ユニット２を保持する器具本体１とを備える。
【００７１】
上記構成によれば、上述の光源ユニット２を用いることによって、照明空間側への照射光量の低下を抑えた照明器具１０を提供することができる。
【符号の説明】
【００７２】
２  光源ユニット
２１  基板
２２  レンズ（光学部材）
２３  取付部材
２４  放熱部材
２６  反射部材
２１０  ＬＥＤチップ（発光素子）
２４１  底壁部
２４２〜２４５  側壁部
２６３  差込片（結合部）
２３１８ａ〜２３２０ａ  差込溝（結合部）
２６１１  内周面
【図１】
0006395078.tif 000002
【図２】
0006395078.tif 000003
【図３】
0006395078.tif 000004
【図４】
0006395078.tif 000005
【図５】
0006395078.tif 000006
【図６】
0006395078.tif 000007